【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
医薬品を体腔に送達する装置であって、
貫通空隙を画定するアプリケータ本体であって、前記貫通空隙が、画定された貫通空隙の軸について実質的に対称であり、前記アプリケータ本体が第１の開放端部分および第２の開放端部分を有し、前記第１の開放端部分が、該開放端部分から延び、かつ、前記画定された貫通空隙の軸から離れるように外側に延びるフランジ部分を備えるアプリケータ本体と、
第１のプランジャ端部、第２のプランジャ端部、および前記第１のプランジャ端部と前記第２のプランジャ端部を結合する中間の細長い部分を有するプランジャであって、前記プランジャの前記第１のプランジャ端部が前記アプリケータ本体の前記貫通空隙内にぴったりと嵌合するが、前記プランジャが前記アプリケータ本体の前記貫通空隙内を前記第１の開放端部分と前記第２の開放端部分の間で移動することができるように形付けられ、前記第１のプランジャ端部が医薬品が挿入されるように構成された全般的に中央の領域を有する水平のテーブルをさらに画定し、前記第２のプランジャ端部が十分な面積のベース部分を備えて、前記プランジャの第１の端部が前記貫通空隙内に位置付けられた場合に、前記ベース部分に力を加えて、前記プランジャを前記第２の開放端部分に向かって前記貫通空隙の軸に沿って移動させることができるようになされたプランジャとを備える装置。
【請求項２】
前記プランジャの前記第２のプランジャ端部が前記貫通空隙内に嵌合しないように寸法設定される、請求項１に記載の装置。
【請求項３】
前記アプリケータ本体の前記第２の開放端部分が前記体腔内に挿入可能に構成される、請求項１または２に記載の装置。
【請求項４】
前記アプリケータ本体の前記体腔内への所定の適切な挿入深さを区別する前記アプリケータ本体上の境界(demarcation)をさらに含む、請求項１から３のいずれかに記載の装置。
【請求項５】
前記プランジャが前記第２の開放端部分に向かって移動するにつれ、前記プランジャの第１の端部の前記貫通空隙に沿った移動を停止させる手段をさらに含む、請求項１から４のいずれかに記載の装置。
【請求項６】
前記プランジャの移動を停止させる手段が、前記アプリケータ本体の前記第２の開放端部分の方向に前記貫通空隙の直径を狭くすることである、請求項５に記載の装置。
【請求項７】
前記プランジャの移動を停止させる手段が、前記貫通空隙内に延びる１つまたは複数の停止部である、請求項５に記載の装置。
【請求項８】
前記貫通空隙を画定する壁が、その表面に沿って少なくとも部分的に潤滑剤によってコーティングされる、請求項１から７のいずれかに記載の装置。
【請求項９】
前記アプリケータ本体の前記フランジ部分が前記アプリケータ本体の前記第１の開放端部分に向かって湾曲される、請求項１から８のいずれかに記載の装置。
【請求項１０】
前記第１のプランジャ端部の前記水平のテーブルの全般的に中央の領域が、前記水平のテーブルから延びる周囲壁を含む、請求項１から９のいずれかに記載の装置。
【請求項１１】
体腔に先端および後端を有する座薬の挿入用のアプリケータであって、前記アプリケータが、開放された下端と開放された上端を有するバレル構成要素と、前記開放された下端から前記開放された上端に連なる内部バレル壁によって画定される中心軸と、ここで該内部バレル壁はそこから前記中心軸に突き出ている１以上の停止部を有する、並びに、前記バレル構成要素の前記中心軸に位置し、前記軸内にぴったりと嵌合するように構成された第１の端部、および前記バレル構成要素の前記軸内に嵌合できないように構成された第２の端部を有する可動プランジャ構成要素とを含み、前記可動プランジャ構成要素の前記第１の端部が、前記座薬の前記後端をしっかりと保持するように構成されたテーブルの中心について全般的に同心の座部を有する該テーブルを含むことを特徴とする、アプリケータ。
【請求項１２】
前記アプリケータ本体の体腔内への所定の適切な挿入深さを示す前記アプリケータの外面上の境界(demarcation)をさらに含む、請求項１１に記載のアプリケータ。
【請求項１３】
前記バレル構成要素が前記アプリケータ本体の前記開放された上端に向かって細くなる、請求項１１または１２に記載のアプリケータ。
【請求項１４】
前記バレル構成要素が前記バレル構成要素の開放された下端に湾曲したフランジ部分を有する、請求項１１から１３のいずれかに記載のアプリケータ。
【請求項１５】
前記アプリケータ本体の前記フランジ部分が指掛け部を含む、請求項１４に記載のアプリケータ。
【請求項１６】
前記第１のプランジャ端部の前記テーブルの全般的に同心の座部が、前記テーブルから延びる周囲壁を含む、請求項１１から１５のいずれかに記載のアプリケータ。
【請求項１７】
前記アプリケータ本体が、しなやかな生分解性材料から作られている、請求項１１から１６のいずれかに記載のアプリケータ。
【請求項１８】
前記しなやかな生分解性材料が、でん粉含浸ポリマーである、請求項１７に記載のアプリケータ。
【請求項１９】
第１の端部および第２の端部を有する座薬を体腔内に配置する装置であって、
第１の開放端および第２の開放端並びに前記第１の開放端から前記第２の開放端まで延びるシャフトを有するアプリケータ本体と、ここで前記シャフトは前記アプリケータ本体の壁によって画定され、
前記アプリケータ本体の前記第１の開放端から外側に延びるフランジ部分と、ここで前記フランジ部分は、該フランジ部分の残りから区別される少なくとも２つの平行な指掛け部を有し、
前記アプリケータ本体に挿入された可動プランジャ構成要素とを含み、ここで該可動プランジャ構成要素は、前記アプリケータ本体のシャフトの前記第１の開放端内にぴったりと嵌合するサイズおよび形状の第１の端部および前記アプリケータ本体のシャフト内に嵌合することができないサイズおよび形状の第２の端部を備え、前記可動プランジャ構成要素の第１の端部が縁部によって画定されたテーブルを備え、前記テーブルが前記テーブルを画定する前記縁部から凹んだ座部部分を有し、前記座部部分が前記座薬の前記第１または第２の端部の少なくとも一部を保持するように寸法設定されて、前記可動プランジャ構成要素が前記アプリケータ本体内に位置付けられた場合に、前記座薬が前記アプリケータ本体の前記壁に接触しないようになされる装置。
【請求項２０】
前記アプリケータ本体の前記第２の開放端が１つまたは複数の花弁を備える、請求項１９に記載の装置。
【請求項２１】
前記アプリケータ本体の前記第２の開放端が前記体腔内に挿入されるように構成される、請求項１９または２０に記載の装置。
【請求項２２】
前記アプリケータ本体の前記体腔内への所定の適切な挿入深さを示す前記アプリケータ本体の外面上の境界をさらに含む、請求項１９から２１のいずれかに記載の装置。
【請求項２３】
前記アプリケータ本体の前記シャフトが前記アプリケータ本体の前記第２の開放端に向かって細くなる、請求項１９から２２のいずれかに記載の装置。
【請求項２４】
前記フランジ部分が前記アプリケータ本体の前記第２の開放端に向かって湾曲している、請求項１９から２３のいずれかに記載の装置。
【請求項２５】
前記第１のプランジャ端部の前記テーブルの凹んだ座部が、前記水平のテーブルから延びる周囲壁を含む、請求項１９から２４のいずれかに記載の装置。
【請求項２６】
前記アプリケータ本体が、しなやかな生分解性材料から作られている、請求項１９から２５のいずれかに記載の装置。
【請求項２７】
医薬品または装置を体腔に送達する装置であって、
近位開口を有する近位端および遠位開口を有する遠位端を有するバレル構成要素であって、前記バレル構成要素が、前記近位開口から前記遠位開口まで延びる真っ直ぐで均一な貫通路をさらに有し、該貫通路は、前記バレル構成要素の周囲壁によって画定され、前記近位開口は、そこから延び、かつ、前記貫通路から離れるように外側に延び、指掛け部を有するフランジ部分を備える、前記バレル構成要素と、
前記バレル構成要素の長さと実質的に一致する長さのプランジャ構成要素であって、前記プランジャ構成要素は、前記バレル構成要素の前記近位開口を通って挿入可能であり、前記バレル構成要素の前記貫通路の少なくとも一部に入れ子式関係で可動する第１の端部、および第２の端部を有し、前記第１の端部が医薬品または装置のベース部分を保持するように構成された同心の座部部分を有するテーブルを備えて、前記座部内に配置された前記医薬品または装置が前記バレル構成要素を通る末端方向の進路上で前記バレル構成要素の周囲壁に最小限に衝撃を与えるようになされた前記プランジャ構成要素とを備える装置。
【請求項２８】
前記プランジャ構成要素の前記第２の端部が前記貫通路内に挿入不可能なサイズおよび形状に構成される、請求項２７に記載の装置。
【請求項２９】
前記アプリケータ本体の前記体腔内への所定の適切な挿入深さを示す前記バレル構成要素の外面上の境界をさらに含む、請求項２７または２８に記載の装置。
【請求項３０】
前記バレル構成要素が、前記貫通路を画定する前記壁から前記貫通路に延びる１以上の突起部を有し、該１以上の突起部が前記遠位端に向かって前記プランジャ構成要素の更なる動きを止めるように構成されている、請求項２７から２９のいずれかに記載の装置。
【請求項３１】
前記第１のプランジャ構成要素の端部の前記テーブルの同心の座部部分が、前記水平のテーブルから延びる周囲壁を含む、請求項２７から３０のいずれかに記載の装置。
【請求項３２】
前記バレル構成要素が、しなやかな生分解性材料から作られている、請求項２７から３１のいずれかに記載の装置。
【請求項３３】
少なくとも一対の指掛け部を含む少なくとも一つの外側に延びるフランジ部分を有する下端と、上端と、可動プランジャ構成要素とを有するバレル構成要素の使用であって、前記可動プランジャ構成要素は、前記バレル構成要素内にぴったりと嵌合するように構成された第１の端部、および第２の端部を備え、前記第１の端部が縁部によって画定されたテーブル、および前記テーブルの中心軸について全般的に同心の座部を有し、前記同心の座部が前記テーブルの前記縁部から凹み、座薬を体腔内に挿入するアプリケータの製造のために、前記座薬の後端をしっかりと保持するように構成され、
前記使用が以下のステップ：
先端および後端を有する座薬を得ること、
前記座薬の後端を前記可動プランジャ構成要素の前記同心の座部内に装填すること、
前記装填された座薬を運ぶ前記プランジャのテーブルを前記アプリケータの前記バレル構成要素内に挿入すること、
前記少なくとも一つのフランジの前記指掛け部に圧力を掛けている間、前記バレル構成要素の上端を前記体腔のオリフィスの中に挿入すること、および
前記バレル内の前記可動プランジャを押すことによって、前記座薬を前記バレル構成要素から押し出すことを含む使用。
【請求項３４】
前記バレル構成要素の上端を前記オリフィスの中に挿入する前に、前記バレル構成要素の上端上に、使い捨ての被覆材料を置くステップを更に含む、請求項３３に記載の使用。
【請求項３５】
前記座薬を前記バレル構成要素から押し出した後に、前記フランジ部分をつかみ取り、前記オリフィスから前記アプリケータを引っ張ることによって、前記アプリケータを前記オリフィスから取り除くステップを更に含む、請求項３３または３４に記載の使用。